(57)【要約】【課題】着脱が容易であり、安価で作成することができる介護具を提供する。【解決手段】介護具は、断面が山状で、使用者の肘又は膝の関節を曲げた状態でその内面にあてがわれる支持面を有する支持部１と、この支持部１を使用者の肘裏又は膝裏に固定するための装着部２とから構成されている。支持部１はクッション性を有する材質からなり、装着部２はネットからなる。支持部１を使用者の肘に装着する際は、支持部１の支持面を肘の関節に沿うように当接させ、ネット２を使用して固定する。また、支持部１を使用者の膝に装着する際は、支持部１の支持面を膝の関節に沿うように当接させ、ネット２を使用して固定する。【選択図】図１
2008086661.tif 000002
【特許請求の範囲】
【請求項１】
肘又は膝の関節を曲げた状態でその内面にあてがわれる支持面を有する支持部と、この支持部をあてがった状態で前記肘裏又は膝裏に前記支持部を固定するための伸縮性を有する装着部と、を有することを特徴とする介護具。
【請求項２】
前記支持部は、クッション性を有する材質からなることを特徴とする請求項１に記載の介護具。
【請求項３】
前記装着部は、ネットからなることを特徴とする請求項１又は２に記載の介護具。
【請求項４】
指を曲げた状態でその内面及び手のひらにあてがわれる掌握部と、この掌握部をあてがった状態で手のひらに前記掌握部を固定する粘着性を有する装着部と、を有することを特徴とする介護具。
【請求項５】
前記掌握部は、球形であることを特徴とする請求項４に記載の介護具。
【請求項６】
前記掌握部は、ウレタンフォームからなることを特徴とする請求項４又は５に記載の介護具。
【請求項７】
前記装着部は、両面テープからなることを特徴とする請求項４乃至６のいずれか１項に記載の介護具。
【発明の詳細な説明】
【技術分野】
【０００１】
本発明は、介護具に関し、特に老化又は脳梗塞による片半身麻痺等により関節の屈伸機能が低下している被介護者の関節の硬直を防止する介護具に関する。
【背景技術】
【０００２】
老化又は脳梗塞による片半身麻痺等により関節の屈伸機能が低下している被介護者は、リハビリを行わなければ、肘又は膝等が真っ直ぐに伸びたままの状態で硬直してしまい、肘又は膝等の関節を屈曲させようとすると関節に疼痛が生じることがある。これを防止するには、被介護者の肘又は膝等の関節を曲げた状態と伸ばした状態とを定期的に交互に繰り返すことが効果的である。例えば、被介護者が寝たきりである場合、褥瘡を防止するために約２０分おきに介護者が被介護者の身体の向きを変更するが、このときに同時に被介護者の肘又は膝等の関節の屈伸状態を変更することが効果的である。
【０００３】
また、老化又は脳梗塞による片半身麻痺等により手指の機能が低下している被介護者の手指は、リハビリを行わなければ、徐々に拘縮し、握られた状態で硬直する。被介護者の手指が握られた状態で硬直するのを防ぎ、手指を開き易くするためには、被介護者の手にクッション性を有する緩衝体を握らせることが有効である。従来、この緩衝体として様々な介護具が考案されている。
【０００４】
膝関節、股関節及び腰部の夜間痛を緩和するための膝関節用のクッションが特許文献１に開示されている。この膝関節用のクッションは、膝関節に巻き付けるようにして使用するクッション又はサポーター等に対し、パッド等によって使用者の体型と症状に適応するように厚さを配分し、使用者が就寝時にこの膝関節用クッションを膝関節に巻き付けるようにして使用することで、使用者の膝関節の変形及び円背の進行を抑制し、使用者の痛みを緩和するというものである。
【０００５】
また、特許文献２に開示されたクッション付サポーターの寝具は、大腿部又は上腕部を巻き付くように支えるクッション、膝関節又は上腕部を包むサポーター、サポーターを結ぶ紐及びクッションの位置を安定させるバンド又は紐を有し、これを使用者が装着することで使用者の膝関節の捻れを防ぐか又は肩関節を軽く開いた状態に保ち、これにより、使用者の関節の変形及び拘縮の進行、夜間痛等を防止するとともに関節部を保温するというものである。
【０００６】
また、特許文献３に開示された指まくらは、図５に示すように、使用者が握る被握部２１と、３本の指状突起２２と、ベルト２３とを有し、被握部２１及び指状突起２２はスポンジ等の成形素材により一体成形されるか又はスポンジ若しくは小さなビーズ等の緩衝材を表面生地で覆って形成されている。使用者がこの指まくらを使用するときは、被握部２１及び指状突起２２を手のひら側に配置して手をベルト２３に通し、人差し指から小指までの４本の指の間に３本の指状突起２２を１本ずつ挟む。これにより、使用者の人差し指から小指までの４本の指は隣接する指と接することがないため、指と指がくっついた状態で硬直するのを防ぎ、手指の機能低下を防ぐというものである。
【０００７】
図６（ａ）は特許文献４に開示された手と指の硬直と拘縮予防装具を示す模式的上面図、図６（ｂ）は同じく模式的側面図である。特許文献４に開示された手と指の硬直と拘縮予防装具は、内部にポリスチレンビーズが内蔵され、使用者が握ったときに手指を伸ばせる程度の幅を有する直方体の本体３１に伸縮性を有する輪３２が設けられており、使用者はこの輪３２に指を通し、直方体の本体３１を握ることで、手と指の硬直、拘縮、ただれ、臭い及び蒸れを防止するというものである。
【０００８】
また、特許文献５に開示された技術は、大豆大のポリプロピレンビーズ、米粒大のポリプロピレンペレット及び遠赤外線発生材加工ボール等が内蔵された２重構造の縫製体に、少なくとも４本の指を入れる４個の突起物が１列に設けられた手の介護具を、大きさを変えて複数個作成し、使用者の手指の硬直状態に合わせた大きさの手の介護具を握らせるというものである。使用者がこの手の介護具の４個の突起物に４本の指を１本ずつ入れると、使用者が手を握ったときに手のひらのつぼが刺激され、これにより使用者の手の硬直等による手の変形を防ぐというものである。
【０００９】
また、特許文献６に開示された手の介護具は、図７に示すように、親指以外の指を挿入固定するための環状固定部４１と、親指が当接する親指当接部４２と、環状固定部４１と親指当接部４２との間に設けられ、親指が環状固定部４１の方向に移動することを阻止するための親指移動阻止部４３とを有している。この手の介護具は、親指以外の指を環状固定部４１によって展開させて掌握するようになっており、使用者が手の介護具を握ったときに、親指移動阻止部４３によって親指が環状固定部４１の方向に移動するのを防いでいる。これにより、使用者の手のひらを十分に展開させ、リハビリ効果を向上させるというものである。
【００１０】
【特許文献１】特開平１０−１９２３１６号公報
【特許文献２】実用新案登録第３０２０６６９号公報
【特許文献３】特開２００２−１４３１９８号公報
【特許文献４】実用新案登録第３１２４１０９号公報
【特許文献５】実用新案登録第３０７８８８１号公報
【特許文献６】特開２００４−３５８１８６号公報
【発明の開示】
【発明が解決しようとする課題】
【００１１】
しかしながら、上述の従来技術には以下に示すような問題点がある。例えば約２０分おきに被介護者の肘又は膝等の関節の屈伸状態を変更する場合、特許文献１及び特許文献２に開示された介護具を着脱させるのは介護者の負担が大きい。また、これらの介護具は構成が複雑であり、コストが高いという問題点もある。
【００１２】
また、特許文献３に開示された指まくらは、３本の指状突起２２を人差し指から小指までの４本の指の間に１本ずつ挟む必要があり、使用者の手指の硬直状態が重度である場合、着脱が困難であり、介護者の負担が大きい。
【００１３】
また、特許文献４に開示された手と指の硬直と拘縮予防装具は、使用者が掌握する本体３１が直方体を有しており、握っているときに違和感が生じる虞がある。また、使用者が輪３２に指を通す必要があり、使用者の手指の硬直状態が重度である場合、着脱が困難であり、介護者の負担が大きい。
【００１４】
特許文献５に開示された手の介護具は、４個の突起物に４本の指を１本ずつ入れる必要があり、特許文献６に開示された手の介護具は、環状固定部４１に４本の指を１本ずつ入れる必要がある。よって、使用者の手指の硬直状態が重度である場合、着脱が困難であり、介護者の負担が大きい。
【００１５】
上述のように、特許文献３乃至特許文献６に開示されたいずれの介護具も、使用者の手指の硬直状態が重度である場合、着脱が困難であり、介護者の負担が大きいという問題点がある。また、これらの介護具は構成が複雑であり、コストが高いという問題点もある。
【００１６】
本発明はかかる問題点に鑑みてなされたものであって、着脱が容易であり、安価で作成することができる介護具を提供することを目的とする。
【課題を解決するための手段】
【００１７】
本発明に係る介護具は、肘又は膝の関節を曲げた状態でその内面にあてがわれる支持面を有する支持部と、この支持部をあてがった状態で前記肘裏又は膝裏に前記支持部を固定するための伸縮性を有する装着部と、を有することを特徴とする。
【００１８】
前記支持部は、クッション性を有する材質からなることが好ましい。
【００１９】
また、前記装着部は、ネットからなることが好ましい。
【００２０】
本発明に係る他の介護具は、指を曲げた状態でその内面及び手のひらにあてがわれる掌握部と、この掌握部をあてがった状態で手のひらに前記掌握部を固定する粘着性を有する装着部と、を有することを特徴とする。
【００２１】
前記掌握部は、球形であることが好ましい。
【００２２】
また、前記掌握部は、ウレタンフォームからなることが好ましい。
【００２３】
前記装着部は、両面テープからなることが好ましい。
【発明の効果】
【００２４】
本発明によれば、介護具を容易に着脱させることができ、また、構造が簡単であるため、安価で作成することができる。
【発明を実施するための最良の形態】
【００２５】
以下、本発明の実施形態について、添付の図面を参照して具体的に説明する。先ず、本発明の第１実施形態について説明する。図１は使用者が本実施形態に係る介護具を肘に装着したところを示す模式図、図２は使用者が本実施形態に係る介護具を膝に装着したところを示す模式図である。
【００２６】
本実施形態に係る介護具は、図１及び図２に示すように、断面が山状で、使用者の肘又は膝の関節を曲げた状態でその内面にあてがわれる支持面を有する支持部１と、この支持部１を使用者の肘裏又は膝裏に固定するための装着部としてのネット２とから構成されている。
【００２７】
支持部１としては、クッション性を有する材質を使用することが好ましく、例えば、スポンジ、ビーズ等の緩衝材を木綿等の表面生地で覆ったもの又はウレタンフォーム等を使用することができる。
【００２８】
支持部１を使用者の肘に装着する際は、図１に示すように、支持部１の支持面を肘の関節に沿うように当接させ、ネット２を使用して固定する。これにより、使用者の肘関節が支持部１の支持面に沿って屈曲する。
【００２９】
また、支持部１を使用者の膝に装着する際は、図２に示すように、支持部１の支持面を膝の関節に沿うように当接させ、ネット２を使用して固定する。これにより、使用者の膝関節が支持部１の支持面に沿って屈曲する。
【００３０】
次に、上述の如く構成された本実施形態の介護具の動作について説明する。介護具を使用者の肘又は膝の関節に装着する際は、使用者の肘又は膝の関節を曲げた状態で、支持部１の支持面を肘又は膝の関節に沿うように当接させ、ネット２によって関節に支持部１を固定する。また、介護具を使用者の肘又は膝の関節から脱着する際は、ネット２による固定を解除する。介護具の着脱を定期的に交互に繰り返すことにより、使用者の肘又は膝の関節が真っ直ぐに伸びたままの状態で硬直してしまうことを防止することができる。
【００３１】
本実施形態に係る介護具によれば、介護具の脱着がネットによって行われるため、使用者及び介護者の負担が少ない。また、簡単な構成であり、容易に入手できる材料によって作成できるため、安価で作成することができる。
【００３２】
次に、本発明の第２実施形態について説明する。図３（ａ）は本実施形態に係る介護具を示す模式的上面図、図３（ｂ）は同じく模式的正面図、図４は使用者が本実施形態に係る介護具を装着したところを示す模式図である。
【００３３】
本実施形態に係る介護具は、図３及び図４に示すように、使用者が指を曲げた状態でその内面及び手のひらにあてがわれる球形の掌握部１１と、この掌握部１１を使用者の手のひらに固定する装着具としての両面テープ１２とから構成されている。そして、両面テープ１２の掌握部１１に貼り付けられていない側の粘着面は剥離紙（図示せず）によって保護されている。
【００３４】
掌握部１１はウレタンフォームからなり、使用者が握り易いように、使用者の手のひらの大きさに合わせて形成されている。また、使用者の手指の硬直状態が重度である場合は、使用者が手指を開いて掌握部１１を握ることができる大きさに形成されている。
【００３５】
両面テープ１２の材質は特に限定されないが、掌握部１１と接着する側の粘着面の粘着剤は、一般にウレタンフォーム等の発泡体の接着に使用されるアクリル系粘着剤等を使用することができ、また、使用者の手のひらと接着する側の粘着面の粘着剤は、低皮膚刺激性の粘着剤等を使用することができる。
【００３６】
使用者の手に本実施形態に係る介護具を装着する際は、両面テープ１２の剥離紙（図示せず）を剥離して粘着面を露出させ、使用者の手指を開かせて使用者の手のひらに両面テープ１２の粘着面を接着する。
【００３７】
次に、上述の如く構成された本実施形態の介護具の動作について説明する。図４に示すように、使用者の手指を開かせ、手のひらに掌握部１１に貼り付けられた両面テープ１２の粘着面を貼り付けると、使用者の手指が徐々に拘縮した場合においても掌握部１１を握ることでこれ以上拘縮せず、また、掌握部１１が球形を有しているため、使用者は違和感を生じることなく装着し続けることができる。
【００３８】
本実施形態に係る介護具によれば、介護具を使用者に装着する際は両面テープの粘着面を使用者の手のひらに接着するだけでよく、また、脱着の際は使用者の手のひらから両面テープの粘着面を剥離するだけでよいため、使用者の手指の硬直状態が重度であっても容易に着脱させることができ、使用者及び介護者の負担が少ない。また、簡単な構成であり、容易に入手できる材料によって作成できるため、安価で作成することができる。
【図面の簡単な説明】
【００３９】
【図１】使用者が本発明の第１実施形態に係る介護具を肘に装着したところを示す模式図である。
【図２】使用者が本発明の第１実施形態に係る介護具を膝に装着したところを示す模式図である。
【図３】（ａ）は本発明の第２実施形態に係る介護具を示す模式的上面図、（ｂ）は同じく模式的正面図である。
【図４】使用者が本発明の第２実施形態に係る介護具を装着したところを示す模式図である。
【図５】使用者が従来技術の介護具を装着したところを示す模式図である。
【図６】（ａ）は従来技術の手と指の硬直と拘縮予防装具の模式的上面図、（ｂ）は同じく模式的側面図である。
【図７】従来技術の手の介護具の模式的斜視図である。
【符号の説明】
【００４０】
１；支持部
２；ネット
１１；掌握部
１２；両面テープ
２１；被握部
２２；指状突起
２３；ベルト
３１；本体
３２；輪
４１；環状固定部
４２；親指当接部
４３；親指移動阻止部
【図１】
2008086661.tif 000003
【図２】
2008086661.tif 000004
【図３】
2008086661.tif 000005
【図４】
2008086661.tif 000006
【図５】
2008086661.tif 000007
【図６】
2008086661.tif 000008
【図７】
2008086661.tif 000009